(57)【要約】  【課題】  電池の長時間使用と給電停止時のデータ消失量低減とをバランスよく行うことができるデータ記憶装置及び撮像装置を提供する。  【解決手段】  データを記憶するバッファＲＡＭ７と、バッファＲＡＭ７に記憶されているデータをバッファＲＡＭ７よりも記憶容量が大きいＨＤＤ６へ断続的に転送するマイクロコンピュータ８とを備え、バッテリ（電池）９からバッファＲＡＭ７、ＨＤＤ６、及びマイクロコンピュータ８へ給電を行うデータ記憶装置において、残量検出部１０でバッテリ９の残量を検出し、検出した残量に基づいて、バッファＲＡＭ７からＨＤＤ６へのデータ転送に係る時間間隔又は転送毎のデータサイズをマイクロコンピュータ８で設定する。【選択図】      図１
2005260699.tif 000002
【特許請求の範囲】
【請求項１】
データを記憶するメモリと、該メモリに記憶されたデータの前記メモリよりも記憶容量が大きい記憶媒体への断続的な転送を行う転送制御手段とを備え、電池から給電を受けるデータ記憶装置において、
前記電池の残量を検出する検出手段と、
該検出手段が検出した残量に基づいて、前記転送制御手段の断続的な転送に係る時間間隔又は転送毎のデータサイズを設定する設定手段と
を備えることを特徴とするデータ記憶装置。
【請求項２】
前記設定手段は、前記検出手段が検出する残量が減少する程、前記時間間隔又はデータサイズを大きくするように設定すべくなしてあることを特徴とする請求項１記載のデータ記憶装置。
【請求項３】
前記断続的な転送に係る時間間隔は、前記メモリに記憶されているデータの前記記憶媒体への転送を開始してから、前記転送が終了してその後転送を再開するまでの時間間隔であることを特徴とする請求項１又は２記載のデータ記憶装置。
【請求項４】
データを記憶するメモリと、該メモリに記憶されたデータの前記メモリよりも記憶容量が大きい記憶媒体への断続的な転送を行う転送制御手段とを備え、電池から給電を受けるデータ記憶装置において、
前記電池の残量を検出する検出手段と、
該検出手段が検出した残量に基づいて、前記転送制御手段の断続的な転送に係る前記メモリに記憶するデータサイズを設定する設定手段と
を備えることを特徴とするデータ記憶装置。
【請求項５】
前記設定手段は、前記検出手段が検出する残量が減少する程、前記データサイズを大きくするように設定すべくなしてあることを特徴とする請求項４記載のデータ記憶装置。
【請求項６】
前記記憶媒体にデータを書込むヘッドと、
該ヘッドの位置を制御する位置制御手段と、
前記記憶媒体を保持して回転させる回転手段と
を備え、
前記メモリから前記記憶媒体へのデータ転送が行われていない場合、前記回転手段は記憶媒体の回転を継続し、前記位置制御手段は、前記ヘッドを記憶媒体上から退避させるようにしてあることを特徴とする請求項１乃至５の何れかひとつに記載のデータ記憶装置。
【請求項７】
撮像した画像データを分割する分割手段と、
該分割手段が分割した画像データに圧縮処理を行う圧縮手段と、
請求項１乃至６の何れかひとつに記載のデータ記憶装置と
を備え、
前記圧縮手段が圧縮したデータを前記メモリに記憶するようにしてあることを特徴とする撮像装置。
【発明の詳細な説明】
【技術分野】
【０００１】
本発明は、データを記憶するメモリと、該メモリに記憶されているデータを該メモリよりも記憶容量が大きい記憶媒体へ転送するデータ記憶装置、及び、該データ記憶装置に撮像データを記憶する撮像装置に関する。
【背景技術】
【０００２】
データをバッファメモリに記憶した後、該バッファメモリよりも記憶容量が大きい記憶媒体へ転送して記憶させるデータ記憶装置として、撮像した映像データを記憶媒体に記憶するデジタルビデオカメラが従来から存在する。近年では、映像データをデジタル信号処理し、ハードディスクドライブ（以下、ハードディスクという）又はＤＶＤなどの記憶媒体に記憶するデジタルビデオカメラが増えている。
【０００３】
ハードディスク又は光ディスクの消費電力は、データの書込（記憶）を行っていない状態よりも、書込を行っている状態の方が高い。そのため、バッファメモリに記憶されたデータを常時記憶媒体へ転送して書込むよりも、ある程度のデータをバッファメモリに蓄積し、時間間隔を空けてまとめて記憶媒体へ転送して書込む方が、消費電力を低減することができる（例えば、特許文献１参照）。この場合、バッファメモリに蓄積できるデータ容量が多い方が、記憶媒体への書込頻度が下がり、消費電力が低下する。
【特許文献１】特開平９−２７０９８５号公報
【発明の開示】
【発明が解決しようとする課題】
【０００４】
また、デジタルビデオカメラは、ユーザが持ち歩いて使用するため、振動又は衝撃が加わることもある。振動又は衝撃が加わった場合、バッファメモリへの給電が一時的に停止し、バッファメモリに記憶されているデータが消失することがある。バッファメモリに記憶されているデータの給電停止時の消失量を低減させるには、バッファメモリに記憶されたデータを短い時間間隔で記憶媒体へ転送し、バッファメモリに蓄積されるデータ量を最小限に抑えることが好ましい。しかし、バッファメモリに蓄積されるデータ量が少なくなるように、なるべく短い時間間隔で記憶媒体へのデータ転送を行った場合、上述したように消費電力が増加するという問題が生じる。
【０００５】
本発明は斯かる事情に鑑みてなされたものであり、メモリから記憶媒体への断続的なデータ転送に係る時間間隔、転送毎のデータサイズ、又は前記メモリに記憶するデータサイズを電池の残量に基づいて設定することにより、電池の長時間使用と給電停止時のデータ消失量低減とをバランスよく行うことができるデータ記憶装置及び撮像装置を提供することを目的とする。
【０００６】
また、本発明は、電池の残量が減少する程、前記時間間隔又はデータサイズが大きくなるように設定することにより、電池の残量が少ない場合は電池の使用時間を延ばし、電池の残量が多い場合は給電停止時のデータ消失量を低減することができるデータ記憶装置及び撮像装置を提供することを他の目的とする。
【０００７】
また、本発明は、メモリから記憶媒体へのデータ転送が行われていない場合、記憶媒体の回転を継続し、ヘッドを記憶媒体上から退避させることにより、消費電力を低減すると共に、衝撃などによってヘッドが記憶媒体に衝突することを防止できるデータ記憶装置及び撮像装置を提供することを他の目的とする。
【課題を解決するための手段】
【０００８】
本発明に係るデータ記憶装置は、データを記憶するメモリと、該メモリに記憶されたデータの前記メモリよりも記憶容量が大きい記憶媒体への断続的な転送を行う転送制御手段とを備え、電池から給電を受けるデータ記憶装置において、前記電池の残量を検出する検出手段と、該検出手段が検出した残量に基づいて、前記転送制御手段の断続的な転送に係る時間間隔又は転送毎のデータサイズを設定する設定手段とを備えることを特徴とする。
【０００９】
本発明に係るデータ記憶装置は、前記設定手段は、前記検出手段が検出する残量が減少する程、前記時間間隔又はデータサイズを大きくするように設定すべくなしてあることを特徴とする。
【００１０】
本発明に係るデータ記憶装置は、前記断続的な転送に係る時間間隔は、前記メモリに記憶されているデータの前記記憶媒体への転送を開始してから、前記転送が終了してその後転送を再開するまでの時間間隔であることを特徴とする。
【００１１】
本発明に係るデータ記憶装置は、データを記憶するメモリと、該メモリに記憶されたデータの前記メモリよりも記憶容量が大きい記憶媒体への断続的な転送を行う転送制御手段とを備え、電池から給電を受けるデータ記憶装置において、前記電池の残量を検出する検出手段と、該検出手段が検出した残量に基づいて、前記転送制御手段の断続的な転送に係る前記メモリに記憶するデータサイズを設定する設定手段とを備えることを特徴とする。
【００１２】
本発明に係るデータ記憶装置は、前記設定手段は、前記検出手段が検出する残量が減少する程、前記データサイズを大きくするように設定すべくなしてあることを特徴とする。
【００１３】
本発明に係るデータ記憶装置は、前記記憶媒体にデータを書込むヘッドと、該ヘッドの位置を制御する位置制御手段と、前記記憶媒体を保持して回転させる回転手段とを備え、前記メモリから前記記憶媒体へのデータ転送が行われていない場合、前記回転手段は記憶媒体の回転を継続し、前記位置制御手段は、前記ヘッドを記憶媒体上から退避させるようにしてあることを特徴とする。
【００１４】
本発明に係る撮像装置は、撮像した画像データを分割する分割手段と、該分割手段が分割した画像データに圧縮処理を行う圧縮手段と、前記本発明に係るデータ記憶装置とを備え、前記圧縮手段が圧縮したデータを前記メモリに記憶するようにしてあることを特徴とする。
【００１５】
本発明においては、電池の残量を検出手段で検出し、メモリから記憶媒体への断続的なデータ転送に係る時間間隔又は転送毎のデータサイズを、検出した残量に基づいて設定手段で設定する。記憶媒体への書込（記憶）を実行している書込状態の消費電力は、書込を実行していない待機状態の消費電力よりも高いため、前記時間間隔又はデータサイズを大きくして書込を行う頻度を下げる方が消費電力は低くなる。ただし、給電が停止した場合、メモリに記憶されているデータは消失するため、書込の頻度を下げた場合、給電停止によるデータ消失量が多くなる。逆に、前記時間間隔又はデータサイズを小さくして高頻度で書込を行う場合、給電停止によるデータ消失量を少なくし、給電停止によるデータ消失の防止を図ることができる。ただし、高頻度で書込を行う場合、消費電力は増加する。設定手段は、電池の残量に合わせて前記時間間隔又はデータサイズを設定し、消費電力及び給電停止時のデータ消失量の調整を行う。
【００１６】
本発明においては、メモリから記憶媒体への断続的なデータ転送に係る時間間隔は、前記メモリに記憶されているデータの前記記憶媒体への転送を開始した時点から、前記転送が終了してその後転送を再開するまでの時間間隔である。単位時間あたりにメモリから記憶媒体へ転送可能なデータ量は、単位時間あたりにメモリに記憶されるデータ量よりも大きいため、前記時間間隔を増加（又は減少）させることにより、前記時間間隔に占めるデータ転送が行われていない時間の割合を増加（又は減少）させることができる。設定手段は、電池の残量に合わせて前記時間間隔を設定し、消費電力及び給電停止時のデータ消失量の調整を行う。
【００１７】
本発明においては、電池の残量を検出手段で検出し、メモリから記憶媒体への断続的なデータ転送に係る前記メモリに記憶するデータサイズを、検出した残量に基づいて設定手段で設定する。単位時間あたりにメモリから記憶媒体へ転送可能なデータ量は、単位時間あたりにメモリに記憶されるデータ量よりも大きいため、前記メモリに記憶するデータサイズを増加（又は減少）させることにより、記憶媒体へのデータ書込の頻度を減少（又は増加）させることができる。設定手段は、電池の残量に合わせて前記メモリに記憶するデータサイズを設定し、消費電力及び給電停止時のデータ消失量の調整を行う。
【００１８】
本発明においては、前記時間間隔又はデータサイズは、設定手段により、検出された残量が減少する程、大きくなるように設定される。上述したように、前記時間間隔又はデータサイズを大きくして書込を行う頻度を下げる方が消費電力は低くなるため、電池の残量が少ない場合に前記時間間隔又はデータサイズを大きくすることにより、消費電力を下げて電池の使用時間を延ばせる。また、上述したように、前記時間間隔又はデータサイズを小さくして高頻度で書込を行う方が給電停止によるデータ消失量が少なくなるため、電池の残量が多い場合は、前記時間間隔又はデータサイズを小さくすることにより、給電停止時のデータ消失量を低減することができる。
【００１９】
本発明においては、前記メモリから前記記憶媒体へのデータ転送が行われていない場合、回転手段は記憶媒体の回転を継続し、位置制御手段は前記記憶媒体にデータを書込むヘッドを前記記憶媒体上から退避させる。記憶媒体の回転に関しては、回転を停止している場合の消費電力が最も少ないが、回転を停止している状態から動作を始めた始動状態は、回転状態よりも消費電力が高い。そのため、データを断続的に記憶する場合、データ書込を行っていない間は、回転を停止するよりも継続する方が消費電力は低くなる。また、データ書込を行っていない場合にヘッドを記憶媒体上から退避することにより、衝撃などによるヘッドの記憶媒体への衝突を防止できる。
【００２０】
本発明においては、撮像した画像データを分割手段で分割し、分割した画像データに圧縮手段で圧縮処理を行い、圧縮したデータを上述した本発明に係るデータ記憶装置の前記メモリに記憶する。
【発明の効果】
【００２１】
本発明によれば、メモリから記憶媒体への断続的なデータ転送に係る時間間隔、転送毎のデータサイズ、又は前記メモリに記憶するデータサイズを電池の残量に基づいて設定することにより、電池の残量に応じて消費電力及び給電停止時のデータ消失量が調整できるため、電池の長時間使用と給電停止時のデータ消失量低減とをバランスよく行うことができる。
【００２２】
本発明によれば、電池の残量が減少する程、前記時間間隔又はデータサイズが大きくなるように設定することにより、電池の残量が少ない場合は、書込の頻度を下げて消費電力を低減させて電池の使用時間を延ばし、電池の残量が多い場合は書込の頻度を上げて給電停止時のデータ消失量を低減することができる。
【００２３】
本発明によれば、メモリから記憶媒体へのデータ転送が行われていない場合、記憶媒体の回転を継続し、また、ヘッドを記憶媒体上から退避させることにより、消費電力を低減し、また、衝撃などによってヘッドが記憶媒体に衝突することを防止できる。
【発明を実施するための最良の形態】
【００２４】
以下、本発明をその実施の形態を示す図面に基づいて具体的に説明する。
図１は、本発明に係るデータ記憶装置を備えるディジタルビデオカメラ（撮像装置）の構成例を示すブロック図である。ディジタルビデオカメラは、撮像された連続的なアナログ形態の映像信号を、ディジタル形態のＮＴＳＣ（National Television System Committee）方式またはＰＡＬ（Phase Alternation Line）方式の映像信号に変換し、更に、ＭＰＥＧ（Moving Picture Expert Group）−２フォーマットに従って圧縮し、圧縮したデータを記憶媒体に記憶するものである。
【００２５】
ＣＣＤ（Charge Coupled Device）１に取込まれた光学的な被写体映像は、電気的なアナログ形態の映像信号に変換され、ＣＤＳ・ＡＧＣ回路２に送られる。ＣＤＳ・ＡＧＣ回路２は、ＣＣＤ１から読出された映像信号に含まれるＣＣＤ１に特有の低周波雑音をＣＤＳ（Correlated Double Sampling）によって抑圧し、また、ＣＣＤ１の出力信号の信号レベルをＡＧＣ（Automatic Gain Control）によって安定させ、更に、後続のＡＤＣ（Analog Digital Converter）３のダイナミックレンジ不足を補うために、映像信号のレベルに対してＡＤＣ３の入力上限値付近で振幅を制限する。
【００２６】
ＤＳＰ（Digital Signal Processor）４には、ＣＤＳ・ＡＧＣ回路２から出力され、ＡＤＣ３によってディジタル形態に変換された映像信号が入力される。ＤＳＰ４は、図示説明は省略するが、ＡＤＣ３から入力されたディジタル形態の映像信号を輝度信号Ｙと色差信号Ｕ，Ｖに変換する機能、同期信号を付加する機能、ホワイトバランスを調整する機能、ディジタル的にズーム拡大する機能などを備える。また、ＤＳＰ４は、ＣＣＤ１に対して水平垂直駆動信号パルスを出力し、同期信号とのタイミングを取りながらＣＣＤ１から映像信号を読み出すようにしている。また、ＤＳＰ（分割手段）４は、映像信号を分割し、分割した映像信号をＭＰＥＧエンコーダ５に送る。
【００２７】
ＭＰＥＧエンコーダ（圧縮手段）５は、ＤＳＰ４によって生成されたディジタル形態の映像信号（輝度信号Ｙ及び色差信号Ｕ，Ｖ）が入力され、入力されたデータをＭＰＥＧ-２フォーマットに圧縮（エンコード）し、データ量を数十分の１に減量する。圧縮されたデータは、データ記憶装置に送られ、記憶媒体に記憶される。
【００２８】
データ記憶装置は、ＨＤＤ６、バッファＲＡＭ（Random Access Memory）７、及びマイクロコンピュータ８を備え、バス１１にＭＰＥＧエンコーダ５、ＨＤＤ６、バッファＲＡＭ７、及びマイクロコンピュータ８が接続されている。バッファＲＡＭ７は、例えばシンクロナスＤＲＡＭを用いる。
【００２９】
ＨＤＤ６は、磁気ディスク（記憶媒体）、該磁気ディスクを回転させるモータ（回転手段）、磁気ヘッド、該磁気ヘッドの位置を制御するサーボ回路（位置制御手段）、ディジタル信号記憶処理回路、及び入出力インターフェース用バッファメモリなどを備える。
【００３０】
マイクロコンピュータ（転送制御手段）８は、制御用プログラム及び制御用データなどが記憶されるＲＯＭ、及び、一時的なデータを記憶するＲＡＭを備えており、ＭＰＥＧエンコーダ５で圧縮されたデータのバッファＲＡＭ７への記憶、及び、バッファＲＡＭ７からＨＤＤ６へのデータ転送などのデータ記憶装置内の各構成部の制御を行う。また、マイクロコンピュータ８は、デジタルビデオカメラ内の各構成部の制御を行う。
【００３１】
デジタルビデオカメラは、バッテリ（電池）９が装着されており、バッテリ９からデジタルビデオカメラ内の各構成部に給電が行われる。バッテリ９は、充電が可能な２次電池、又は、乾電池などを用いることが可能である。
【００３２】
また、バス１１には、バッテリ９の残量を検出する残量検出部１０が接続されており、マイクロコンピュータ１０は、残量検出部１０が検出したバッテリ９の残量を取得する。
【００３３】
ＨＤＤ６に単位時間あたりに記憶可能なデータ量は、単位時間あたりに生成される圧縮データ量よりも数十倍大きく、圧縮データをまとめてＨＤＤ６に記憶することが可能である。マイクロコンピュータ８は、バッファＲＡＭ７に記憶されたデータを、設定データサイズ単位でＨＤＤ６へ転送する。なお、バッファＲＡＭ７の記憶容量は、前記設定データサイズよりも大きい。また、ＭＰＥＧ圧縮が固定ビットレートで行われている場合は、前記設定データサイズに相当する時間間隔で、バッファＲＡＭ７に記憶されているデータのＨＤＤ６への転送を開始することも可能である。
【００３４】
図２は、バッファＲＡＭ７に蓄積される圧縮データのＨＤＤ６への転送の例を示す図である。図２において、Ｔ０は、ＨＤＤ６へ転送する設定データサイズ分の圧縮データがバッファＲＡＭ７に蓄積される時間である。バッファＲＡＭ７からＨＤＤ６へのデータ転送は、時間Ｔ０間隔で開始される。また、Ｔ１はＨＤＤ６への書込処理を行っている時間であり、Ｔ２はＨＤＤ６への書込処理は行っていない時間である。ただし、時間Ｔ２では、磁気ディスクは回転を継続している。
【００３５】
また、書込処理（時間Ｔ１）は、磁気ヘッドを磁気ディスク上にローディングする処理（時間Ｔ１１）と、書込を行うトラックまで磁気ヘッドをシークする処理（時間Ｔ１２）と、磁気ディスクにデータを書込む（記憶する）処理（時間Ｔ１３）と、磁気ヘッドを磁気ディスク上からアンローディング（待避）する処理（時間Ｔ１４）とを含む。時間Ｔ１３は前記設定データサイズに応じて増減するが、時間Ｔ１１，Ｔ１２，Ｔ１４はほぼ一定と見なせる。これら書込処理は、マイクロコンピュータ８の制御によって行われる。
【００３６】
ＨＤＤ６の消費電力は、磁気ディスクを回転させるモータが停止しているスタンバイ状態、モータが回転し始めるスタートアップ状態、モータは回転しているが磁気ヘッドは磁気ディスクから待避して記憶処理を休止しているアイドル状態（時間Ｔ２）、磁気ヘッドが磁気ディスクに対向してデータの読出／書込を行うリード／ライト状態（時間Ｔ１）で夫々異なる。これら各状態の消費電力の大小関係は、「スタートアップ状態」＞「リード／ライト状態」＞「アイドル状態」＞「スタンバイ状態」となっている。
【００３７】
ＨＤＤ６をアイドル状態にして書込処理を休止する時間Ｔ２の消費電力は、書込処理を行う時間Ｔ１（＝Ｔ１１＋Ｔ１２＋Ｔ１３＋Ｔ１４）の消費電力よりも少ない。時間Ｔ２が長くなるほど、ＨＤＤ６の消費電力が低減できる。時間Ｔ２を長くするためには、バッファＲＡＭ７からＨＤＤ６へ転送するデータ単位である設定データサイズを大きくし（必要ならばバッファＲＡＭ７の記憶容量も大きくする）、バッファＲＡＭ７からＨＤＤ６へデータ転送を開始する時間間隔（Ｔ０）を長くすればよい。図３は、設定データサイズとＨＤＤ６の消費電力との関係を示す図である。ＨＤＤ６の消費電力は設定データサイズに反比例して減少する。バッテリ残量が少ない場合は、設定データサイズを大きくして、消費電力を低下させることが好ましい。
【００３８】
一方、設定データサイズを大きくした場合、ＨＤＤ６の消費電力は低減するが、デジタルビデオカメラに振動又は衝撃が与えられた場合、バッテリ９からバッファＲＡＭ７への給電が一時的に停止されるなどして、バッファＲＡＭ７に記憶されているデータが消失することがある。バッファＲＡＭ７に記憶されているデータの給電停止時の消失量を低減するためには、前記設定データサイズを小さくし、バッファＲＡＭ７からＨＤＤ６へデータ転送を開始する時間間隔（Ｔ０）を短くすればよい。バッテリ残量が多い場合は、設定データサイズを小さくして、バッファＲＡＭ７からＨＤＤ６へのデータ転送頻度を上げ、給電停止時の消失量を低減することが好ましい。
【００３９】
マイクロコンピュータ８は、残量検出部１０が検出したバッテリ９の残量に基づいて、前記設定データサイズを設定する手段として動作する。マクロコンピュータ８は、前記設定データサイズを、バッテリ９の残量が減少する程、大きくなるように設定する。なお、設定した設定データサイズ及び検出されたバッテリ９の残量は、マイクロコンピュータ８のＲＡＭに記憶される。
【００４０】
マイクロコンピュータ８は、例えばバッテリ９の容量Ｖｍａｘの半分の値Ｖｍａｘ／２を基準にし、残量検出部１０が検出したバッテリ９の残量がＶｍａｘ／２以上の場合は、前記設定データサイズをＳＭに設定し、残量がＶｍａｘ／２未満の場合は、前記設定データサイズをＳＬ（ＳＬ＞ＳＭ）に設定する。基準となるＶｍａｘ／２、前記設定データサイズに用いるＳＬ，ＳＭの値はマイクロコンピュータのＲＯＭに記憶されている。
【００４１】
なお、バッテリ９の残量と前記設定データサイズに用いる値との対応関係は、例えば残量が０．２５Ｖｍａｘ未満の場合の設定データサイズをＳ、残量が０．２５Ｖｍａｘ〜０．５Ｖｍａｘの場合の設定データサイズを０．７５Ｓ、残量が０．５Ｖｍａｘ〜０．７５Ｖｍａｘの場合の設定データサイズを０．５Ｓ、残量が０．７５Ｖｍａｘ〜Ｖｍａｘの場合の設定データサイズを０．２５Ｓにするなど任意である。また、バッテリ９の残量と前記設定データサイズに用いる値との対応関係は任意であり、対応関係を表すマップ、数式、テーブルなどをＲＯＭに記憶することも可能である。
【００４２】
図４は、圧縮データの記憶処理の例を示すフローチャートである。撮影が開始されると、マイクロコンピュータ８によってデジタルビデオカメラ内の各部の制御が行われ、ＭＰＥＧエンコーダ５による映像信号のＭＰＥＧエンコードが開始され（Ｓ１０）、エンコードされたデータは、マイクロコンピュータ８の制御によって、バッファＲＡＭ７に記憶される。
【００４３】
マイクロコンピュータ８は、残量検出部１０が検出したバッテリ残量を取得し（Ｓ１２）、バッテリ残量に応じた設定データサイズを決定する（Ｓ１４）。設定データサイズは、ＲＯＭに記憶されている値に基づいて、バッテリ残量が多い場合は小さく設定され、バッテリの残量が少ない場合は大きく設定される。マイクロコンピュータ８はバッファＲＡＭ７に蓄積されている蓄積データサイズを監視し、蓄積データサイズが設定データサイズに達した場合（Ｓ１６：ＹＥＳ）、ＨＤＤ６を制御して、ＨＤＤ６の磁気ヘッドを磁気ディスクにローディングし、記憶を行うトラックにシークさせ（Ｓ１８）、バッファＲＡＭ７から読出した設定データサイズ単位の圧縮データをＨＤＤ６の磁気ディスクに書込み（Ｓ２０）、書込後は磁気ヘッドを磁気ディスクから待避（アンローディング）させる（Ｓ２２）。
【００４４】
その後、撮影が終了され、ＭＰＥＧエンコードが終了されるまで（Ｓ２４：ＮＯ）、同様の処理を繰り返す。ＭＰＥＧエンコードが終了された場合（Ｓ２４：ＹＥＳ）、マイクロコンピュータ８の制御により、バッファＲＡＭ７に残っている圧縮データがＨＤＤ６へ転送されるなどして、撮像された映像データのＨＤＤ６への記憶の終了処理が行われる。
【００４５】
上述した実施の形態においては、バッテリ残量に応じて、バッファＲＡＭ７からＨＤＤ６へ転送するデータ単位である設定データサイズを変更する場合を例にして説明したが、バッファＲＡＭ７からＨＤＤ６へのデータ転送を実行（開始）する時間間隔を変更することも可能である。
【００４６】
また、上述した実施の形態においては、バッテリ９の残量に応じて、バッファＲＡＭ７からＨＤＤ７へ転送するデータサイズ又は時間間隔を変更しているが、バッテリ９の残量に応じた前記データサイズ又は時間間隔の変更のオン／オフをユーザが切換えることも可能である。また、前記変更をオフに切換えた場合、前記データサイズ又は時間間隔の大又は小（例えば上述した実施の形態のＳＬ又はＳＭ）をユーザが切換えることも可能である。これら切換はマイクロコンピュータ８に接続された図示しない操作部で受付け、受付けた操作に応じてマイクロコンピュータ８が制御処理を行う。
【００４７】
上述した実施の形態においては、バッファＲＡＭ７に記憶されているデータをＨＤＤ６へ記憶する場合を例にして説明したが、ＨＤＤに限定はされず、例えばＤＶＤ−ＲＡＭ、ＤＶＤ−ＲＷ、ＤＶＤ−Ｒなどの記憶媒体を用いることも可能である。また、フラッシュメモリなどの記憶媒体を用いることも可能である。
【００４８】
また、本発明のデータ記憶装置は、デジタルビデオカメラに限定はされず、例えばＭＤ（Mini Disc）に音声データを記憶する携帯型のＭＤレコーダに用いたり、ＤＶＤ−ＲＡＭなどに映像データを記憶する携帯型のＤＶＤレコーダに用いることが可能である。携帯型のＭＤレコーダ又は携帯型のＤＶＤレコーダの場合、図１に示すＣＣＤ１、ＣＤＳ・ＡＧＣ回路２、ＡＤＣ３、ＤＳＰ４、及びＭＰＥＧエンコーダ５は、携帯型のＭＤレコーダ又は携帯型のＤＶＤレコーダに応じたものに変更される。
【図面の簡単な説明】
【００４９】
【図１】本発明に係るデータ記憶装置を備えるディジタルビデオカメラの構成例を示すブロック図である。
【図２】バッファＲＡＭに蓄積される圧縮データのＨＤＤへの転送の例を示す図である。
【図３】設定データサイズとＨＤＤの消費電力との関係を示す図である。
【図４】圧縮データの記憶処理の例を示すフローチャートである。
【符号の説明】
【００５０】
１  ＣＣＤ
２  ＣＤＳ・ＡＧＣ回路
３  ＡＤＣ
４  ＤＳＰ
５  ＭＰＥＧエンコーダ
６  ＨＤＤ
７  バッファＲＡＭ
８  マイクロコンピュータ
９  バッテリ
１０  残量検出部
１１  バス
【図１】
2005260699.tif 000003
【図２】
2005260699.tif 000004
【図３】
2005260699.tif 000005
【図４】
2005260699.tif 000006